(57)【要約】【課題】  記録条件を変更可能な撮影装置において、重要なイベント等において記録条件の変更のし忘れを防止できるようにする【解決手段】  現在の日付および時刻がユーザの記念日または重要なイベントな場合において、記録画素数および記録フォーマットが例えば１ＭノーマルＪＰＥＧのように低精細な画像を表す画像データを記録するように設定されている場合には、警告表示を行って、ユーザに例えば６ＭファインＪＰＥＧのように高精細な画像を表す画像データを記録するように、記録画素数および記録フォーマットを変更させるようにする。【選択図】          図５
2005340996.tif 000002
【特許請求の範囲】
【請求項１】
撮影により画像データを取得する撮影手段と、
前記画像データを記録媒体に記録する記録手段と、
前記画像データの前記記録媒体への記録条件を設定する記録条件設定手段と、
撮影日時を計測するカレンダ手段と、
重要度が設定された撮影者の予定を管理する予定管理手段と、
撮影時または起動時に前記予定管理手段を参照して現在の予定を検出し、該現在の予定の重要度が所定のレベル以上である場合に、前記記録条件設定手段において現在設定されている記録条件を検出し、該記録条件が所定の条件を満たしていない場合には、該記録条件が前記所定の条件を満たすことを可能とする処理を実行する処理実行手段とを備えたことを特徴とする撮影装置。
【請求項２】
前記処理実行手段は、前記記録条件を前記所定の条件へ変更する処理を、前記記録条件が前記所定の条件を満たすことを可能とする処理として実行する手段であることを特徴とする請求項１記載の撮影装置。
【請求項３】
前記処理実行手段は、前記記録条件が前記所定の条件を満たしていないことを通知する処理を、前記記録条件が前記所定の条件を満たすことを可能とする処理として実行する手段であることを特徴とする請求項１記載の撮影装置。
【請求項４】
前記処理実行手段は、前記記録条件が前記所定の条件を満たしていないことを通知するとともに、前記記録条件を前記所定の条件へ変更する処理を、前記記録条件が前記所定の条件を満たすことを可能とする処理として実行する手段であることを特徴とする請求項１記載の撮影装置。
【請求項５】
前記記録条件は、前記画像データの記録画素数および記録フォーマットであることを特徴とする請求項１から４のいずれか１項記載の撮影装置。
【請求項６】
撮影により画像データを取得する撮影手段と、
前記画像データを記録媒体に記録する記録手段と、
前記画像データの前記記録媒体への記録条件を設定する記録条件設定手段と、
撮影日時を計測するカレンダ手段と、
重要度が設定された撮影者の予定を管理する予定管理手段とを備えた撮影装置における撮影方法において、
撮影時または起動時に前記予定管理手段を参照して現在の予定を検出し、
該現在の予定の重要度が所定のレベル以上である場合に、前記記録条件設定手段において現在設定されている記録条件を検出し、
該記録条件が所定の条件を満たしていない場合には、該記録条件が前記所定の条件を満たすことを可能とする処理を実行することを特徴とする撮影方法。
【請求項７】
撮影により画像データを取得する撮影手段と、
前記画像データを記録媒体に記録する記録手段と、
前記画像データの前記記録媒体への記録条件を設定する記録条件設定手段と、
撮影日時を計測するカレンダ手段と、
重要度が設定された撮影者の予定を管理する予定管理手段とを備えた撮影装置における撮影方法をコンピュータに実行させるためのプログラムにおいて、
撮影時または起動時に前記予定管理手段を参照して現在の予定を検出する手順と、
該現在の予定の重要度が所定のレベル以上である場合に、前記記録条件設定手段において現在設定されている記録条件を検出する手順と、
該記録条件が所定の条件を満たしていない場合には、該記録条件が前記所定の条件を満たすことを可能とする処理を実行する手順とを有することを特徴とするプログラム。
【発明の詳細な説明】
【技術分野】
【０００１】
本発明は、撮影により取得した画像データを、ユーザが設定した記録条件によりメモリカード等の記録媒体に記録する撮影装置および方法並びに撮影方法をコンピュータに実行させるためのプログラムに関するものである。
【背景技術】
【０００２】
デジタルカメラにおいては、撮影により取得した画像データを記録媒体に記録する際の画素数、記録フォーマットおよび圧縮率等の記録条件を設定することが可能である。例えば、６００万画素のＣＣＤを有するデジタルカメラの場合、最大画素数の６Ｍモードから、６Ｍ非圧縮ＴＩＦＦ、６ＭファインＪＰＥＧ、６ＭノーマルＪＰＥＧ、３ＭファインＪＰＥＧ、３ＭノーマルＪＰＥＧ、１ＭファインＪＰＥＧおよび１ＭノーマルＪＰＥＧのように記録条件を設定することができる。
【０００３】
デジタルカメラのユーザは、子供の運動会のように重要なイベントにて撮影を行う場合には、例えば６ＭファインＪＰＥＧのように高精細な画像を表す画像データが記録されるように記録条件を設定し、特に重要なイベントではなく、メモ代わりに撮影を行うような場合には、１ＭノーマルＪＰＥＧのように記録条件設定する等、撮影により取得する画像が重要なものであるか否かに応じて適宜記録条件を設定して撮影を行っている。
【０００４】
ところで、ＰＤＡや携帯電話等の携帯情報端末においては、ユーザのスケジュール管理機能はもちろん、デジタルカメラを搭載したものが製品化されている。このような携帯情報端末において、カメラにより取得した画像データをユーザのスケジュールと連携させて管理することにより、後で画像データの検索を容易にしたものが提案されている（特許文献１参照）。また、表示画面にスケジュールを表示した際に、そのスケジュールのときに撮影した画像を同時に表示することにより、画像の整理を容易に行うことができるようにした携帯情報端末も提案されている（特許文献２参照）。
【特許文献１】特開２００３−３３３４９４号公報
【特許文献２】特開２００３−２４４５０６号公報
【発明の開示】
【発明が解決しようとする課題】
【０００５】
ところで、記録条件を変更しながら撮影を行っていると、撮影時に記録条件を変更することを忘れるおそれがある。例えば、記録条件を６ＭファインＪＰＥＧに設定して撮影を行った後にメモ代わりに撮影を行う場合に、記録条件を変更するのを忘れてしまい、６ＭファインＪＰＥＧのままで撮影を行ってしまう場合がある。ここで、メモ代わりで撮影を行う場合に高精細な画像が記録される記録条件で撮影を行ってしまっても、画像データの容量が増えるのみであり、後で容量を減らすことができるため問題はない。
【０００６】
しかしながら、記録条件を１ＭノーマルＪＰＥＧに設定して撮影を行った後に高精細な画像が必要な重要なイベントにおいて撮影を行う場合に、記録条件を変更することを忘れてしまって１ＭノーマルＪＰＥＧのままで撮影を行うと、後で画質を高画質にすることはできないため、取り返しがつかないこととなる。
【０００７】
本発明は上記事情に鑑みなされたものであり、重要なイベント等において記録条件の変更のし忘れを防止できるようにすることを目的とする。
【課題を解決するための手段】
【０００８】
本発明による撮影装置は、撮影により画像データを取得する撮影手段と、
前記画像データを記録媒体に記録する記録手段と、
前記画像データの前記記録媒体への記録条件を設定する記録条件設定手段と、
撮影日時を計測するカレンダ手段と、
重要度が設定された撮影者の予定を管理する予定管理手段と、
撮影時または起動時に前記予定管理手段を参照して現在の予定を検出し、該現在の予定の重要度が所定のレベル以上である場合に、前記記録条件設定手段において現在設定されている記録条件を検出し、該記録条件が所定の条件を満たしていない場合には、該記録条件が前記所定の条件を満たすことを可能とする処理を実行する処理実行手段とを備えたことを特徴とするものである。
【０００９】
「起動時」とは、本発明による撮影装置の起動時のみならず、撮影を行うことが可能なように本発明による撮影装置のモードを設定するときをも含むものである。
【００１０】
なお、本発明による撮影装置においては、前記処理実行手段を、前記記録条件を前記所定の条件へ変更する処理を、前記記録条件が前記所定の条件を満たすことを可能とする処理として実行する手段としてもよい。
【００１１】
また、本発明による撮影装置においては、前記処理実行手段を、前記記録条件が前記所定の条件を満たしていないことを通知する処理を、前記記録条件が前記所定の条件を満たすことを可能とする処理として実行する手段としてもよい。
【００１２】
また、本発明による撮影装置においては、前記処理実行手段を、前記記録条件が前記所定の条件を満たしていないことを通知するとともに、前記記録条件を前記所定の条件へ変更する処理を、前記記録条件が前記所定の条件を満たすことを可能とする処理として実行する手段としてもよい。
【００１３】
また、本発明による撮影装置においては、前記記録条件を、前記画像データの記録画素数および記録フォーマットとしてもよい。
【００１４】
本発明による撮影方法は、撮影により画像データを取得する撮影手段と、
前記画像データを記録媒体に記録する記録手段と、
前記画像データの前記記録媒体への記録条件を設定する記録条件設定手段と、
撮影日時を計測するカレンダ手段と、
重要度が設定された撮影者の予定を管理する予定管理手段とを備えた撮影装置における撮影方法において、
撮影時または起動時に前記予定管理手段を参照して現在の予定を検出し、
該現在の予定の重要度が所定のレベル以上である場合に、前記記録条件設定手段において現在設定されている記録条件を検出し、
該記録条件が所定の条件を満たしていない場合には、該記録条件が前記所定の条件を満たすことを可能とする処理を実行することを特徴とするものである。
【００１５】
なお、本発明による撮影方法をコンピュータに実行させるためのプログラムとして提供してもよい。
【発明の効果】
【００１６】
本発明によれば、撮影時または起動時に現在の予定の重要度が検出され、現在の予定の重要度が所定のレベル以上である場合に、現在設定されている記録条件が検出される。そして、記録条件が所定の条件を満たしていない場合には、記録条件が所定の条件を満たすことを可能とする処理が実行される。このため、撮影者の予定が重要度が所定のレベル以上であるときに撮影を行う場合に、記録条件が所定の条件を満たすようにすることができ、これにより、記録条件の変更のし忘れを防止し、重要なイベントにおいて取得される画像データにより表される画像の画質を常に高精細なものとすることができる。
【００１７】
また、記録条件を所定の条件へ変更する処理を、記録条件が所定の条件を満たすことを可能とする処理とすることにより、重要なイベントにおいて取得される画像データにより表される画像の画質を確実に高精細なものとすることができる。
【００１８】
また、記録条件が所定の条件を満たしていないことを通知する処理を、記録条件が所定の条件を満たすことを可能とする処理とすることにより、撮影者自身に記録条件を変更させることができ、これにより撮影者自身が自覚して、重要なイベントにおいて取得される画像データにより表される画像の画質を確実に高精細なものとすることができる。
【００１９】
また、記録条件が所定の条件を満たしていないことを通知するとともに、記録条件が所定の条件を満たしていないことを通知する処理を、記録条件が所定の条件を満たすことを可能とする処理とすることにより、撮影者自身に操作を行わせることなく、撮影者自身が自覚して、重要なイベントにおいて取得される画像データにより表される画像の画質を確実に高精細なものとすることができる。
【発明を実施するための最良の形態】
【００２０】
以下、図面を参照して本発明の実施形態について説明する。図１は本発明の実施形態による撮影装置を適用したデジタルカメラの構成を示す概略ブロック図である。
【００２１】
図１に示すように、デジタルカメラ１には、被写体像を受光面に結像させて光電変換し、画像データとして出力する、撮影レンズ、ＣＣＤおよびシャッタ等を備えた撮像部２０と、デジタルカメラ１全体の制御を行うとともに画像データのサンプリングタイミング制御、画像データの記録制御および表示制御等の各種制御を行うＣＰＵ２２と、画像サイズを変更する処理、並びにシャープネス補正、ガンマ補正、コントラスト補正およびホワイトバランス補正等の画像データにより表される画像の画質を向上させるセットアップ処理を行う信号処理部２４と、アナログ情報の画像データをデジタルの画像データに変換するＡ／Ｄ変換器２６と、ストロボ２８と、ストロボ２８の操作を制御するストロボ制御部３０と、種々の指示をデジタルカメラ１に対して行うための入力部３２と、入力部３２の設定情報を入力するインターフェースであるＩ／Ｏ３４とが設けられている。
【００２２】
なお、入力部３２には、画像データのメモリカード１０への記録画素数および記録フォーマットを設定したり、撮影モードを設定したり等するためのモード切替ダイヤル、十字キー、設定スイッチおよびシャッタボタン等の各種スイッチが設けられている。
【００２３】
また、デジタルカメラ１には、画像データをＪＰＥＧやモーションＪＰＥＧに代表される手法で圧縮したり、圧縮した画像データを解凍する圧縮解凍部３６と、メモリカードスロット３８に着脱可能に装着されたメモリカード１０に画像データを記録したり読み出したりするために画像データを変換するカードインターフェース４２とが設けられている。
【００２４】
また、デジタルカメラ１には、後述するスケジュール管理プログラム、撮影プログラム等のＣＰＵ２２を動作させるプログラムや各種定数が記録されているＲＯＭおよびＣＰＵ２２が処理を実行する際の作業領域となるＲＡＭにより構成されるシステムメモリ４４と、デジタルカメラ１の各種設定定数を電源遮断後も記録し続けることが可能な書き替え可能な不揮発性メモリ４６と、タイマ撮影時に駆動されるタイマ４８と、現在の時刻を刻むカレンダ時計５０と、画像データを液晶モニタ（ＬＣＤ）１６に表示するためのＤ／Ａ変換等を行うＬＣＤ制御部５４と、ＣＰＵ２２から指令される表示用の画像データを一時的に記録しておくＶＲＡＭ等で構成されているフレームメモリ５６と、ＣＰＵ２２から指令されるコード情報を表示する文字やメッセージデータに変換して画像とともにオンスクリーンディスプレイするＯＳＤ５８とが設けられている。なお、電力を各部へ供給するバッテリ６０も設けられている。
【００２５】
そしてＣＰＵ２２がシステムメモリ４４から各種プログラムを読み出して実行することにより、ＣＰＵ２２が記録条件設定手段、予定管理手段および処理実行手段として機能する。
【００２６】
また、撮像部２０により取得された画像データは、信号処理部２４により画像処理が施された後、Ａ／Ｄ変換部２６によりデジタルの画像データに変換され、さらにユーザにより設定された記録画像数および記録フォーマットにて圧縮解凍部３６において圧縮されてメモリカード１０に記録される。
【００２７】
ここで、画像データの記録画素数および記録フォーマットは、撮像部２０のＣＣＤの画素数に応じて複数段階に設定可能とされている。本実施形態によるデジタルカメラ１においては、撮像部２０のＣＣＤの画素数が６００万画素を有するものとし、画像データの画素数および記録フォーマットを、６Ｍ非圧縮ＴＩＦＦ、６ＭファインＪＰＥＧ、６ＭノーマルＪＰＥＧ、３ＭファインＪＰＥＧ、３ＭノーマルＪＰＥＧ、１ＭファインＪＰＥＧおよび１ＭノーマルＪＰＥＧの７段階に設定できるものとする。
【００２８】
なお、スケジュール管理プログラムを起動することにより、ユーザはユーザ自身のプロファイル情報およびスケジュール情報をデジタルカメラ１に入力して管理することができる。プロファイル情報およびスケジュール情報はそれぞれプロファイルデータおよびスケジュールデータとしてメモリカード１０に保存される。
【００２９】
図２はプロファイルデータの例を示す図である。図２に示すようにプロファイルデータには、ユーザのプロファイル情報がレコード番号およびバイト数と対応づけられて記述されている。例えば、レコードＮｏ．１には、ユーザ名が、レコードＮｏ．２には、ユーザの誕生年月日が、レコードＮｏ．３には、ユーザの記念日の数が、レコードＮｏ．４には１つめの記念日（記念日＃１）の年月日が、レコードＮｏ．５には１つめの記念日の意味コードが記述されている。以下、レコードＮｏ．６以降には、２つめの記念日（記念日＃２）の年月日、意味コード、３つめの記念日（記念日＃３）の年月日、意味コードが交互に記述されている。
【００３０】
ここで、意味コードは、１が誕生日を、２が結婚記念日を、３がその他の記念日を、９が忌日を示すものとする。
【００３１】
図３はスケジュールデータの例を示す図である。図３に示すように、スケジュールデータには、スケジュールの年、月日、時刻、イベントメモおよび分類コードが記述されている。
【００３２】
図４は分類コード表を示す図である。図４に示すように、分類コードは１〜６の６通りのコードが規定されており、それぞれ誕生日（家族）、誕生日（その他）、記念日（家族）、記念日（その他）、大事なイベントおよび普通のイベントを意味するものとなっている。また、分類コードには重要度が規定されている。ここで、重要度は０〜２の３段階により規定され、０が最低、２が最高の重要度を示すものとなっている。図４においては、誕生日（家族）および記念日（家族）の重要度が最高の２であり、誕生日（その他）、記念日（その他）および大事なイベントの重要度が１であり、普通のイベントの重要度が最低の０となっている。
【００３３】
このようにスケジュールデータを記述することにより、各イベントにおける重要度が分類コードにより規定されることとなる。
【００３４】
なお、プロファイルデータに設定されたユーザの誕生日および記念日は、重要度としては最高の２のレベルにあるものとする。
【００３５】
また、ここではプロファイルデータおよびスケジュールデータをメモリカード１０に保存しているが、不揮発性メモリ４６に保存しておいてもよい。
【００３６】
次いで、本実施形態において行われる処理について説明する。図５は本実施形態において行われる処理を示すフローチャートである。なお、ここでは、プロファイルデータおよびスケジュールデータはユーザにより設定されてメモリカード１０に保存されているものとする。
【００３７】
ユーザがデジタルカメラ１の入力部３２を用いてデジタルカメラ１のモードを撮影モードに切り替え、ＣＰＵ２２が撮影プログラムを起動することにより処理が開始される。
【００３８】
ＣＰＵ２２は、メモリカード１０からプロファイルデータおよびスケジュールデータを読み出し（ステップＳＴ１）、カレンダ時計５０により現在の日付および時刻を表す日時情報を取得する（ステップＳＴ２）。そして、プロファイルデータを参照して、現在の日付がユーザの記念日（ユーザの誕生日も含む）であるか否かを判定する（ステップＳＴ３）。ステップＳＴ３が否定されると、スケジュールデータを参照して、現在の日付および時刻がスケジュールデータに記述されたイベントの年、月日および時刻に含まれるか、すなわち現在の日付および時刻がイベント日時であるか否かを判定する（ステップＳＴ４）。ステップＳＴ４が肯定されると、さらにそのイベントの分類コードおよび分類コード表を参照して、重要度が最高の２であるか否かを判定する（ステップＳＴ５）。
【００３９】
ステップＳＴ３およびステップＳＴ５が肯定されると、ミス防止フラグをＯＮとする（ステップＳＴ６）。一方、ステップＳＴ４およびステップＳＴ５が否定されるとミス防止フラグをＯＦＦとし（ステップＳＴ７）、ステップＳＴ１２へ進む。ここで、ミス防止フラグをＯＮとすることにより、後述するようにステップＳＴ８以降の処理が行われることとなる。一方、ミス防止フラグがＯＦＦの場合には、ステップＳＴ８以降の処理は行われない。
【００４０】
ステップＳＴ６に続いて、ＣＰＵ２２は現在設定されている記録画素数が６Ｍ未満であるか否かを判定する（ステップＳＴ８）。ステップＳＴ８が肯定されると、ＣＰＵ２２はＬＣＤ１６に警告画面を表示する（ステップＳＴ９）。
【００４１】
図６は警告画面の例を示す図である。図６に示すように、警告画面１００には、「設定されている記録画素数が６Ｍ未満です。記録画素数を変更しますか？」の警告文１００Ａ、画素数の設定を変更する場合に選択するＹＥＳボタン１００Ｂおよび変更しない場合に選択するＮＯボタン１００Ｃが表示されている。ユーザは、設定を変更する場合は入力部３２を用いてＹＥＳボタン１００Ｂを選択する。設定を変更しない場合はＮＯボタン１００Ｃを選択する。
【００４２】
ＣＰＵ２２は、ユーザの入力を判定し（ステップＳＴ１０）、設定を変更する場合には記録画素数および記録フォーマットを６ＭファインＪＰＥＧに設定し（ステップＳＴ１１）、ステップＳＴ１２へ進む。また、設定を変更しない場合には、ステップＳＴ１２へ進む。なお、設定の結果は不揮発性メモリ４６に記録される。
【００４３】
ＣＰＵ２２はステップＳＴ１２において、不揮発性メモリ４６から現在の撮影モードの設定を読み出し、読み出した設定により撮影モードをセットする（ステップＳＴ１３）。なお、ここではメモリカード１０への記録画素数および記録フォーマットの設定も行う。そして入力部３２のシャッタボタンを押下することにより撮影を行うことが可能となる撮影スタンバイ状態となり（ステップＳＴ１４）、処理を終了する。
【００４４】
この状態において、ユーザが入力部３２におけるシャッタボタンを押下することにより撮影が行われる。この際、設定された記録画素数および記録フォーマットにより圧縮された画像データがメモリカード１０に記録される。例えば、ステップＳＴ１１において、記録画素数および記録フォーマットが６ＭファインＪＰＥＧに設定された場合には、６ＭファインＪＰＥＧにて圧縮された画像データがメモリカード１０に記録される。一方、撮影モードに切り替えた場合において、記録画素数および記録フォーマットが１ＭノーマルＪＰＥＧであり、かつステップＳＴ４が否定された場合には、１ＭノーマルＪＰＥＧにて圧縮された画像データがメモリカード１０に記録される。
【００４５】
なお、ここではユーザがデジタルカメラ１を撮影モードに切り替えた際に、プロファイルデータおよびスケジュールデータを参照して、必要があれば記録画素数および記録フォーマットを変更しているが、撮影時に同様の処理を行うことも可能である。以下、撮影時に行われる処理について説明する。
【００４６】
図７は本実施形態において撮影時に行われる処理を示すフローチャートである。ユーザが入力部３２におけるシャッタボタンを押下することにより処理が開始され、ＣＰＵ２２は撮像部２０を用いて撮影処理を行う（ステップＳＴ３１）。ここで撮影処理とは、撮像部２０のＣＣＤの全画素から出力信号を得て、何ら圧縮されていないＬＡＷ画像データを得る処理を意味する。
【００４７】
次いで、ＣＰＵ２２はミス防止フラグがＯＮであるか否かを判定する（ステップＳＴ３２）。ステップＳＴ３２が肯定されると、ミス防止フラグがＯＮであることから、ＣＰＵ２２は現在設定されている記録画素数が６Ｍ未満であるか否かを判定する（ステップＳＴ３３）。ステップＳＴ３２が肯定されると、ＣＰＵ２２はＬＡＷ画像データを６ＭファインＪＰＥＧにて圧縮してメモリカード１０に記録し（ステップＳＴ３４）、リターンする。
【００４８】
一方、ステップＳＴ３３が否定されると、ミス防止フラグがＯＦＦであることから、ＣＰＵ２２は現在設定されている記録画素数および記録フォーマットにてＬＡＷ画像データを圧縮してメモリカード１０に記録し（ステップＳＴ３５）、リターンする。
【００４９】
このように、本実施形態においては、撮影モードの設定時に、現在の日付および時刻がユーザの記念日である場合、または重要度が２のイベントである場合において、画像データの記録画素数が６Ｍ未満である場合に、ＬＣＤ１６に警告画面１００を表示して、ユーザに画像データの記録画素数および記録フォーマットを６ＭファインＪＰＥＧに設定させるようにしたものである。また、撮影時において、現在の日付および時刻がユーザの記念日である、または重要度が２のイベントであってミス防止フラグがＯＮとなっている場合において、画像データの記録画素数が６Ｍ未満である場合に、ＬＡＷ画像データを６ＭファインＪＰＥＧにて圧縮してメモリカード１０に記録するようにしたものである。
【００５０】
このため、ユーザの記念日や重要なイベントの日時において、記録画素数および記録フォーマットを６ＭファインＪＰＥＧに変更し忘れることを防止することができ、これにより、ユーザの記念日および重要なイベントにおいて取得される画像データの画質を常に高精細なものとすることができる。
【００５１】
なお、上記実施形態において、撮影モードの設定時に、図５に示すフローチャートの処理を行っているが、デジタルカメラ１の起動時に図５に示すフローチャートの処理を行うようにしてもよい。
【００５２】
また、図５に示すフローチャートにおいては、ステップＳＴ８が肯定されると、ステップＳＴ９において警告画面１００をＬＣＤ１６に表示して、ステップＳＴ１０においてユーザに記録画素数および記録フォーマットを６ＭファインＪＰＥＧへ変更させているが、ステップＳＴ９およびステップＳＴ１０の処理を行うことなく、直ちに記録画素数および記録フォーマットを６ＭファインＪＰＥＧへ変更してもよい。この場合、「記録画素数および記録フォーマットを変更します」のように、記録画素数および記録フォーマットを変更する旨をＬＣＤ１６に表示して、ユーザに通知するようにしてもよい。
【００５３】
また、図７に示すフローチャートにおいては、ステップＳＴ３３が肯定されると、直ちに記録画素数および記録フォーマットを６ＭファインＪＰＥＧとしてＬＡＷ画像データをメモリカード１０に記録しているが、「記録画素数および記録フォーマットを変更します」のように、記録画素数および記録フォーマットを６ＭファインＪＰＥＧに変更する旨をＬＣＤ１６に表示して、ユーザに通知するようにしてもよい。
【００５４】
また、上記実施形態においては、イベントの重要度が２のときに、記録画素数および記録フォーマットを６ＭファインＪＰＥＧに変更する等の処理を行っているが、重要度はユーザが任意に変更可能なものであり、例えば重要度が１のときに、記録画素数および記録フォーマットを６ＭファインＪＰＥＧに変更する等の処理を行うようにすることも可能である。
【図面の簡単な説明】
【００５５】
【図１】本発明の実施形態による撮影装置を適用したデジタルカメラの構成を示す概略ブロック図
【図２】プロファイルデータの例を示す図
【図３】スケジュールデータの例を示す図
【図４】分類コード表を示す図
【図５】本実施形態において行われる処理を示すフローチャート
【図６】警告画面の例を示す図
【図７】本実施形態において撮影時に行われる処理を示すフローチャート
【符号の説明】
【００５６】
１      デジタルカメラ
１０    メモリカード
１６    ＬＣＤ
２０    撮像部
２２    ＣＰＵ
５０    カレンダ時計
５２    入力部
１００  警告画面
【図１】
2005340996.tif 000003
【図２】
2005340996.tif 000004
【図３】
2005340996.tif 000005
【図４】
2005340996.tif 000006
【図５】
2005340996.tif 000007
【図６】
2005340996.tif 000008
【図７】
2005340996.tif 000009